(57)【特許請求の範囲】
【請求項１】
８００ｎｍ以上の近赤外部に吸収波長を有する青色顔料を、常温で造膜性の、樹脂エマルジョン（但し、アクリル酸エステル−スチレン共重合エマルジョンは除く）又は水溶性樹脂水溶液に分散させてなることを特徴とする芝生育成剤。
【請求項２】
青色顔料が、一般式  ＭＦｅ［Ｆｅ（ＣＮ）6］（式中、Ｍはアルカリ金属又はアンモニウム基を表し、２個のＦｅのいずれか一方は２価、他方は３価である。）で表される化合物を主成分とするものである請求項１に記載の芝生育成剤。
【請求項３】
上記式中のＭがアンモニウム基である請求項２に記載の芝生育成剤。
【発明の詳細な説明】
【０００１】
【発明の属する技術分野】
本発明は、芝生の育成剤に関し、更に詳しくは芝生の着色のみならず、芝生の生育を促進及び老化を防止させる効果を持つ育成剤に関する。
【従来の技術】
【０００２】
従来より芝生を着色する目的、特に冬季の芝の葉色をグリーンに保つことを目的として、特にゴルフ場のグリーンやフェアウエー、公園の芝生美観を有する場所等に種々の芝生用着色剤が使われてきた。
上記着色剤は、着色成分として緑色の有機顔料及び又は染料、及び又は青色と黄色の有機・無機顔料及び又は染料の調色によるものが使われてきた。
【０００３】
これらの顔料としては比較的着色力の大きい顔料として緑色のシアニングリーン、青色のシアニンブルー、黄色のジスアゾ系顔料等が使われており、又染料としては毒性の少ない食用色素が使用されてきた。
しかしながら、これらの従来使われてきた顔料及び染料は単に表面の着色を目的としたもので着色成分そのものには植物に対する生理効果は認められないものであった。
【０００４】
これらの着色剤は基本的には一般の着色剤である塗料やインクと同じものであり、特に使用条件が常に直射日光に曝され、且つ風雨の影響を受ける芝の表面への比較的薄い被膜で有るため、耐久性に問題があり、色の持ちに問題があった。
【０００５】
【発明が解決しようとする課題】
従来、色の耐久性を増す目的として堅牢度の高い高級顔料の使用やバインダー成分の改良が検討されてきたが、使用条件が厳しく、且つ葉の表面での呼吸作用を保つため被膜の厚さ及び完全性に制限がある等の理由により、上記欠点をなくすものは得られていなかった。
【０００６】
更に、芝は一定の間隔で生長した葉の刈り込み作業が行われるため、葉の表面に着色した部分が刈り取られてしまい、結果として着色効果がなくなるという問題があった。
【０００７】
又、この種の着色剤としては、植物に生理活性効果を付与する目的として色々な添加剤や肥料活性成分を付与することが行われてきた。これらの添加物はそのもの自体が生理活性効果を有するものであるが、着色剤との混合によりその効果が本質的に増大するものではなかった。
又、これらの添加剤は着色効果を有するものではないために、これらの成分を加えると着色効果は相対的に落ちてしまうことにもなる。
【０００８】
【課題を解決するための手段】
そこで、本発明者は、上記従来技術の欠点が解決された新規な芝生育成剤を開発すべく検討を重ねた結果、着色成分として単なる着色のみならず、芝生に対する生育促進効果及び老化防止効果を有する顔料を使用することにより上記欠点を克服できることを見出すに至った。
【０００９】
上記の目的は以下の本発明によって達せられる。即ち、本発明は、８００ｎｍ以上の近赤外部に吸収波長を有する青色顔料を、常温で造膜性の、樹脂エマルジョン（但し、アクリル酸エステル−スチレン共重合エマルジョンは除く）又は水溶性樹脂水溶液に分散させてなることを特徴とする芝生育成剤である。
【００１０】
本発明によれば、着色成分である顔料そのものに植物育成及び老化防止効果を有するため、特に添加剤として特別な育成助剤や肥料活性成分等を加えることなく希望する色相の芝生育成剤を提供することができる。
【００１１】
【発明の実施の形態】
次に実施の形態を挙げて本発明を更に詳しく説明する。
本発明で使用する青色顔料は、８００ｎｍ以上の近赤外部に吸収波長を有することが重要である。
学術的な理論根拠は不明確であるが、顔料が８００ｎｍ以上の近赤外部の波長の光線を吸収すると太陽光線の熱線の吸収を増加させ、顔料に保温効果が現出することが推察される。
又、植物によっては波長が８００ｎｍ以上の近赤外部の光線によって育成が阻害されることもあることから、顔料がこの波長領域の光線を吸収することにより植物が近赤外部の光線の照射から保護されると推察される。
【００１２】
上記本発明で使用する青色顔料の平均粒径は通常約０．０３〜０．２０μｍであり、好ましくは約０．０５〜０．１０μｍである。
本発明の芝生育成剤における着色成分は上記の青色顔料のみによって構成されてもよいが、本発明の目的達成を妨げない範囲において他の無機顔料あるいは有機顔料及び染料を併用することができる。
【００１３】
本発明で使用する好ましい上記の吸収条件を満足する青色顔料は、下記一般式で表せる化合物を主成分とする青色顔料である。
一般式    ＭＦｅ［Ｆｅ（ＣＮ）6］
（但し、上記式中、Ｍはアルカリ金属又はアンモニウム基を表し、２個のＦｅのいずれか一方は２価、他方は３価である。）
特に好ましいのは、上記一般式中のＭがアンモニウム基のものである。
【００１４】
本発明の芝生育成剤は、通常、前記の青色顔料、必要により、他の顔料あるいは染料とともにバインダーとから構成され、通常、水媒体中に顔料が分散された状態で使用される。原液となる育成剤中の青色顔料の濃度は、５〜５０重量％程度で有り、例えば、５〜１００倍程度に水で希釈して使用される。
【００１５】
本発明で使用するバインダーは、常温で造膜し、且つ適度の硬さを持つものが好ましい。一般にこれらのバインダーとして用いられる樹脂としては、アクリル酸樹脂エマルジョン、アクリル酸エステル共重合樹脂エマルジョン（但し、アクリル酸エステル−スチレン共重合エマルジョンは除く）、酢酸ビニールエマルジョン、エチレン酢ビエマルジョン、ウレタン樹脂エマルジョン、塩ビ樹脂エマルジョン等、常温で造膜する合成樹脂エマルジョンや、ポリビニールアルコール、水溶性アクリル樹脂、マレイン酸樹脂、澱粉等の水溶性樹脂及びこれらの混合系が挙げられる。
【００１６】
バインダーが、ガラス転移点が高く常温では造膜しない場合には、樹脂を一時的に可塑化する造膜助剤を加えて常温で被膜を形成するよう調整する。造膜助剤（一時的可塑剤）としては、エチレングリコール、キシレン、カルビトール、ヘキシレングリコール、セロソルブ、ブチルカルビトール、ジイソプロピルコハク酸エステル、ジブチルフタレート、ブチルカルビトールアセテート、灯油、ターペン等が挙げられる。
【００１７】
更に顔料の分散剤として種々の界面活性剤を加えることも有効であり、アニオン系界面活性剤、カチオン性界面活性剤、非イオン性界面活性剤が使われる。特に好ましい界面活性剤としてはアニオン系の界面活性剤が有効であり、具体的には、脂肪酸塩、アルキル硫酸エステル、アルキルベンゼンスルフォン酸塩、アルキルリン酸塩、ナフタレンスルフォン酸・ホルマリン縮合物及び特殊ポリカルボン酸型高分子界面活性剤が挙げられるが、本発明はこれらに限定されるものではない。
【００１８】
【実施例】
次に実施例及び比較例を挙げて本発明を更に具体的に説明する。かかる実施例によって本発明が限定されるものではない。尚、文中、部又は％とあるのは重量基準である。
【００１９】
実施例１
紺青（商品名：ミロリブルー６７１、大日精化工業株式会社製品）１０部、ジスアゾイエローＡＡＯＡ（商品名：セイカファーストエロー２４００、大日精化工業株式会社製品）１０部、アニオン系界面活性剤（商品名：デモールＥＰ、花王株式会社製品）３部、及び水７８部をビーズミルで分散し、これに酢酸ビニル系エマルジョン（商品名：ボンコート２３１０、大日本インキ工業株式会社製品）を加え、本発明の緑色育成剤を得た。図１に下記の比較例１との対比で本発明の育成剤の分光反射率曲線を示す。
得られた育成剤の５０倍及び１００倍希釈液を、それぞれ平成８年１０月１６日に高麗芝に３００ｍｌ／ｍ2の割合で散布処理しその後の状態を観察した。
【００２０】
比較例１
シアニングリーン（商品名：シアニングリーン２ＧＮ、大日精化工業株式会社製品）５部、ジスアゾイエローＡＡＯＡ（商品名：セイカファーストエロー２４００、大日精化工業株式会社製品）１０部、アニオン系界面活性剤（商品名：デモールＥＰ、花王株式会社製品）５部、及び水８０部をビーズミルで分散し、これに酢酸ビニル系エマルジョン（商品名：ボンコート２３１０、大日本インキ工業株式会社製品）を加え、比較例の緑色着色剤を得た。得られた着色剤の５０倍及び１００倍希釈液を、それぞれ平成８年１０月１６日に高麗芝に３００ｍｌ／ｍ2の割合で散布処理し、その後の状態を観察した。
【００２１】
観察結果
処理時においては、実施例及び比較例ともに殆ど差は見られず、着色濃度に応じた外観を呈していたが、処理後４５日後の１１月２９日においては無処理の芝は地上部の葉が殆ど枯れて褐色となっていたが、実施例１は緑色を保持していたのに対し、比較例１は色が褪せて枯れ芝色に近い色となっていた。更に状態を詳しく観察すると、無処理区及び比較例１の処理区においては芝の地上部が休眠期に入り、殆ど枯れていたのに対し、実施例１の処理区においては、芝の地上部があたかもまだ活動しているが如く緑色を呈しており、この表面に育成剤が付着していることが観察された。
【００２２】
実施例２
紺青（商品名：Ｎ６５０紺青、大日精化工業株式会社製品）１０部、ジスアゾイエローＡＡＯＡ（商品名：セイカファーストエロー２４００、大日精化工業株式会社製品）１０部、アニオン系界面活性剤（商品名：デモールＮ、花王株式会社製品）５部、ノニオン系界面活性剤（商品名：エマルゲンＡ−９０、花王株式会社製品）１部、消泡剤（ノプコＮＸＺ、サンノプコ株式会社製品）１部、及び水７３部をビーズミルで分散し、これにアクリル系エマルジョン１００部（商品名：ボンコート３９９０、大日本インキ工業株式会社製品）を加え、本発明の緑色育成剤を得た。
得られた育成剤の５０倍及び１００倍希釈液を、それぞれ平成８年５月３０日にプランターに植え付けた高麗芝に２５０ｍｌ／ｍ2の割合で散布処理し、その後の生育プランターに植え付けた状態を観察した。
【００２３】
比較例２
シアニングリーン（商品名：シアニンブルー４９２０、大日精化工業株式会社製品）５部、ジスアゾイエローＡＡＯＡ（商品名：セイカファーストエロー２４００、大日精化工業株式会社製品）１０部、アニオン系界面活性剤（商品名：デモールＮ、花王株式会社製品）５部、ノニオン系界面活性剤（商品名：エマルゲンＡ−９０、花王株式会社製品）１部、消泡剤（ノプコＮＸＺ、サンノプコ株式会社製品）１部、及び水７８部をビーズミルで分散し、これにアクリル系エマルジョン１００部（商品名：ボンコート３９９０、大日本インキ工業株式会社製品）を加え、比較例の緑色育成剤を得た。
得られた育成剤の５０倍及び１００倍希釈液を、それぞれ平成８年５月３０日にプランターに植え付けた高麗芝に２５０ｍｌ／ｍ2の割合で処理し、その後の状態を観察した。
【００２４】
観察結果
処理時においては、実施例及び比較例ともに殆ど差は見られず、着色濃度に応じた外観を呈していたが、処理後６０日後の平成８年７月３１日においては無処理の芝は活着が不十分で、全体の１／３は地肌が露出していたが、実施例２の場合には完全に活着しており地上部の生育も旺盛であった。
【００２５】
【発明の効果】
上記本発明によれば、芝生の着色のみならず、芝生の生育を促進及び老化を防止させる効果を持つ育成剤を提供することができる。
【図面の簡単な説明】
【図１】実施例１及び比較例１の育成剤の分光反射率曲線である。
【図１】
0003540924.tif 000002